(57)【要約】【課題】溝切り体を水田作業装置に支持させるものでありながら、溝切り体によって発生する泥土流の接地フロートに対する影響などの問題発生を回避し易い状態で溝切り体を備えられる水田作業機を提供する。【解決手段】溝切り体９０に、圃場面に溝切り作用する溝切り本体９２と、溝切り本体９２から横外向きに延出して、溝切り本体９２が形成する排水溝の横側で圃場面に整地作用する整地坂１００とを備えてある。自走車体側面視において、溝切り本体９２の前端９１ｆが資材供給器５９の後端６０ｒより自走車体前方側に位置し、整地板１００の前端１００ｆが資材供給器５９の後端６０ｒより自走車体後方側に位置している。【選択図】図９
2014068584.tif 000002
【特許請求の範囲】
【請求項１】
自走車の後部に昇降操作自在に支持された水田作業装置と、
前記水田作業装置に自走車体横方向に並んで支持され、圃場面に資材供給溝を形成すると共に形成した資材供給溝に農用資材を供給する複数の資材供給器と、
前記水田作業装置に支持され、前記複数の資材供給器のうちの隣り合う一対の資材供給器が通る箇所の間で圃場面に排水溝を形成する溝切り体と、を備え、
前記溝切り体に、圃場面に溝切り作用する溝切り本体と、前記溝切り本体から横外向きに延出して、前記溝切り本体が形成する排水溝の横側で圃場面に整地作用する整地坂と、を備え、
前記溝切り体を、自走車体側面視において、前記溝切り本体の前端が前記資材供給器の後端より自走車体前方側に位置し、前記整地板の前端が前記資材供給器の後端より自走車体後方側に位置するように配備してある水田作業機。
【請求項２】
前記資材供給器に、圃場面に溝切り作用する資材供給器本体と、資材供給後の資材供給溝に土寄せする覆土体とを備え、
自走車体側面視において、前記溝切り本体の前端が前記覆土体の後端より車体前方側に位置し、前記整地板の前端が前記覆土体の後端より車体後方側に位置している請求項１に記載の水田作業機。
【請求項３】
前記整地板が前記溝切り本体に取付け高さ調節自在に支持されている請求項１又は２に記載の水田作業機。
【請求項４】
前記整地板の後端縁を、前記溝切り本体から横外側に離れるほど自走車体前方側に位置する傾斜縁に形成してある請求１〜３のいずれか一項に記載の水田作業機。
【請求項５】
前記整地板のうちの前記溝切り本体に連なる基端部を、自走車体前後方向視で前記溝切り本体の側壁部に対して傾斜した形状に形成して、前記溝切り本体が形成する排水溝の内壁の上端部に面取り傾斜部を形成するように構成してある請求項１〜４のいずれが一項に記載の水田作業機。
【請求項６】
前記溝切り体が前記水田作業装置に取付け高さ調節自在に支持されている請求項１〜５のいずれか一項に記載の水田作業機。
【発明の詳細な説明】
【技術分野】
【０００１】
本発明は、自走車の後部に昇降操作自在に支持された水田作業装置と、前記水田作業装置に自走車体横方向に並んで支持され、圃場面に資材供給溝を形成すると共に形成した資材供給溝に農用資材を供給する複数の資材供給器と、前記水田作業装置に支持され、前記複数の資材供給器のうちの隣り合う一対の資材供給器が通る箇所の間で圃場面に排水溝を形成する溝切り体と、を備えた水田作業機に関する。
【背景技術】
【０００２】
従来、たとえば特許文献１に示される水田作業機があった。この水田作業機には、自走車の後部に昇降操作自在に支持された作業部と、作業部に自走車体横方向に並んで支持された作溝施肥器と、作業部に支持された作溝体とが備えられている。作溝施肥器は、圃場に溝を形成し、形成した溝に肥料を供給するように構成されている。作溝体は、作溝施肥器より前方で圃場に排水溝を形成するよう構成されている。
【先行技術文献】
【特許文献】
【０００３】
【特許文献１】特開２０１２−１００６０８号公報
【発明の概要】
【発明が解決しようとする課題】
【０００４】
水田作業機において、溝切り体を水田作業装置に支持される状態で備えると、排水溝を形成しながら作業できるものを、水田作業装置の昇降操作によって溝切り体を一挙に昇降させられる有利な状態で得ることができる。
【０００５】
上記した従来の技術を適用した場合、溝切り体が資材供給器のかなり前方で溝切り作用することにより、溝切り体に起因して発生した泥水流れが接地フロートに影響し易い。また、横幅が広い接地フロートを装備するものにあっては、溝切り体を接地フロートに接触しないようにかなり自走車寄りに配置する必要が生じ、支持構造が複雑になるなど、溝切り体を支持し難くい。
【０００６】
本発明の目的は、溝切り体を水田作業装置に支持させるものでありながら、上記した接地フロートに対する影響などの問題発生を回避し易い状態で溝切り体を備えることができる水田作業機を提供することにある。
【課題を解決するための手段】
【０００７】
本発明による水田作業機は、
自走車の後部に昇降操作自在に支持された水田作業装置と、
前記水田作業装置に自走車体横方向に並んで支持され、圃場面に資材供給溝を形成すると共に形成した資材供給溝に農用資材を供給する複数の資材供給器と、
前記水田作業装置に支持され、前記複数の資材供給器のうちの隣り合う一対の資材供給器が通る箇所の間で圃場面に排水溝を形成する溝切り体と、を備え、
前記溝切り体に、圃場面に溝切り作用する溝切り本体と、前記溝切り本体から横外向きに延出して、前記溝切り本体が形成する排水溝の横側で圃場面に整地作用する整地坂と、を備え、
前記溝切り体を、自走車体側面視において、前記溝切り本体の前端が前記資材供給器の後端より自走車体前方側に位置し、前記整地板の前端が前記資材供給器の後端より自走車体後方側に位置するように配備してあることを特徴とする。
【０００８】
本構成によると、溝切り体が水田作業装置に支持されるものだから、水田作業装置が昇降すれば、溝切り体が水田作業装置に付随して昇降するのであり、水田作業装置の昇降操作によって溝切り体を一挙に昇降させることができる。
【０００９】
本構成によると、溝切り本体の前端が資材供給器の後端より自走車体前方側に位置するように、かつ整地板の前端が資材供給器の後端より自走車体後方側に位置するように、溝切り体を配備してあるから、溝切り体が資料供給器から後方に突出する長さを抑制しながら溝切り体を水田作業装置の後部に支持させることができ、溝切り体に起因して発生する泥土流れを接地フロートに影響し難くでき、かつ溝切り体のために水田作業装置の前後長さが長くなることを抑制でき、さらに溝切り体の支持構造を簡素にできる。さらに、資材供給器と整地板との間から泥土が抜け落ちやすくて、整地板上に泥土が溜まったままになり難い。
【００１０】
従って、本発明によると、水田作業装置の昇降操作によって溝切り体を一挙に昇降させることができるのみならず、水田作業装置の前後長さが溝切り体のために長くなることを抑制して、水田作業機全体の前後長さを短くすることができて、さらに溝切り体の支持構造を簡素にできて、操作や運転を楽にできる。さらに、溝切り体によって発生する泥土流れの接地フロートに対する影響や整地体の泥土溜まりを回避し易くて、良好な仕上がりの作業を行い易い。
【００１１】
本発明において、前記資材供給器に、圃場面に溝切り作用する資材供給器本体と、資材供給後の資材供給溝に土寄せする覆土体とを備え、自走車体側面視において、前記溝切り本体の前端が前記覆土体の後端より車体前方側に位置し、前記整地板の前端が前記覆土体の後端より車体後方側に位置すると好適である。
【００１２】
本構成によると、資材供給後の資材供給溝を覆土板によって埋め戻して供給した資材の浮き上がりなどを防止できるものでありながら、水田作業装置の前後長さが溝切り体のために長くなることを抑制しながら、覆土体と整地板との間から泥土を抜け落ち易くできて、整地板上に泥土が溜まり難い。
【００１３】
従って、本発明によると、供給した資材の浮き上がりなどを防止できるものでありながら、かつ水田作業機全体の前後長さを短くすることができるものでありながら、整地板の泥土溜まりを回避し易い。
【００１４】
本発明において、前記整地板が前記溝切り本体に取付け高さ調節自在に支持されると好適的である。
【００１５】
溝切り本体に対する整地板の取付け高さを調節することにより、整地板から溝切り本体の下端までの距離が変化する。整地板は、圃場面に当接して溝切り本体の圃場への入り込みを規制する。従って、本構成によると、溝切り本体に対する整地板の取付け高さを調節して、溝切り本体の圃場への入り込み深さを調節することができる。すなわち、溝切り本体によって形成される排水溝の深さを調節することができる。
【００１６】
従って、本発明によると、排水溝の深さを浅く調節して溝切り体に掛かる溝切り抵抗を軽く調節したり、排水溝の深さを深く調節して排水をスムーズに調節したりできる。
【００１７】
本発明において、前記整地板の後端縁を、前記溝切り本体から横外側に離れるほど自走車体前方側に位置する傾斜縁に形成すると好適である。
【００１８】
本構成によると、溝切り体の後側に泥がまわり込んでも、整地板の後端縁の傾斜縁形状によって溝切り体の横外側に抜け出やすい。
【００１９】
従って、本発明によると、溝切り体の後側に泥がまわりこんでも、滞留して泥溜まりが発生することを回避し易い。
【００２０】
本発明において、前記整地板のうちの前記溝切り本体に連なる基端部を、自走車体前後方向視で前記溝切り本体の側壁部に対して傾斜した形状に形成して、前記溝切り本体が形成する排水溝の内壁の上端部に面取り傾斜部を形成するように構成すると好適である。
【００２１】
本構成によると、溝切り本体が形成した排水溝の内壁の上端部に面取り傾斜部が形成されて、内壁が崩れ難い。
【００２２】
従って、本発明によると、排水溝の内壁崩れによる泥詰まりが発生し難く、排水をスムーズに行なわせることができる。
【００２３】
本発明において、前記溝切り体が前記水田作業装置に取付け高さ調節自在に支持されると好適である。
【００２４】
本構成によると、水田作業装置の対地高さを変更しても、水田作業装置に対する溝切り体の取付け高さを調節することにより、溝切り本体の圃場への入り込み深さが変化しないとかあまり変化せず、溝切り体に掛かる溝切り抵抗を変化しないとかあまり変化しないように調節できる。
【００２５】
従って、本発明によると、水田作業装置の対地高さを変更して資材供給器による資材供給深さを変更しても、溝切り体に掛かる溝切り抵抗を一定または略一定にできる。
【図面の簡単な説明】
【００２６】
【図１】水田作業機の全体を示す側面図である。
【図２】水田作業機の全体を示す平面図である。
【図３】水田作業装置を示す側面図である。
【図４】水田作業装置を示す後面図である。
【図５】水田作業装置の施肥作業部を示す後面図である。
【図６】水田作業装置を示す横断平面図である。
【図７】水田作業装置の下部を示す平面図である。
【図８】整地板と溝切り本体とが分離した状態の溝切り体を示す斜視図である。
【図９】溝切り体及び資材供給器を示す側面図である。
【図１０】（ａ）は、溝切り本体に対する整地板全体の取付け高さを高くした状態の溝切り体を示す側面図、（ｂ）は、溝切り本体に対する整地板全体の取付け高さを低くした状態の溝切り体を示す側面図である。
【図１１】（ａ）は、水田作業装置に対する溝切り体の取付け高さを低くした状態の溝切り体を示す側面図、（ｂ）は、水田作業装置に対する溝切り体の取付け高さを高くした状態の溝切り体を示す側面図である。
【図１２】溝切り体及び資材供給器を示す平面図である。
【図１３】溝切り体を示す後面図である。
【図１４】排水溝を示す縦断面図である。
【発明を実施するための形態】
【００２７】
以下、本発明の実施の形態を図面に基づいて説明する。
図１は、本発明の実施例に係る水田作業機の全体を示す側面図である。図２は、本発明の実施例に係る水田作業機の全体を示す平面図である。図１，２に示すように、本発明の実施例に係る水田作業機は、左右一対の駆動及び操向操作自在な前車輪１，１と左右一対の駆動自在な後車輪２，２とによって自走するよう構成した自走車と、自走車の車体フレーム６の後部にリンク機構５を介して連結された水田作業装置Ａとを備えている。
【００２８】
自走車は、車体前部に設けた原動部３を備え、原動部３に配備されたエンジン１５からの駆動力によって前車輪１及び後車輪２を駆動して自走するように構成してある。自走車は、車体後部に設けられた運転座席４を有した運転部を備え、運転部に搭乗して運転するように乗用型に構成してある。
【００２９】
水田作業装置Ａは、リンク機構５が油圧シリンダ２０によって車体フレーム６に対して上下に揺動操作されることにより、接地フロート１２が圃場泥土に接地した下降作業状態と、接地フロート１２が圃場泥土から高く上昇した上昇非作業状態とに昇降操作される。
【００３０】
つまり、水田作業機は、水田作業装置Ａを下降作業状態に下降させて自走車を走行させることにより、水田作業装置Ａによって４条の播種作業及び４条の施肥作業を行なうように構成してある。
【００３１】
水田作業装置Ａについて説明する。
図３は、水田作業装置Ａを示す側面図である。図４は、水田作業装置Ａを示す後面図である。図５は、水田作業装置Ａが備える施肥作業部１０を示す後面図である。図６は、水田作業装置Ａを示す横断平面図である。図１〜図６に示すように、水田作業装置Ａは、リンク機構５を構成する機体上下向きの後部リンク５ｃの下部に前端側が連結された機体フレームＦ（図７参照）と、機体フレームＦの前部に機体横方向に一列に並ぶ配置で設けた４つの施肥作業部１０と、機体フレームＦの後部に機体横方向に一列に並ぶ配置で設けた４つの播種作業部９と、機体フレームＦの下方に配備した一つの幅広の接地フロート１２とを備えている。
【００３２】
機体フレームＦは、後部リンク５ｃに対して機体前後向きのローリング支点軸５ｄを介して連結されている。従って、水田作業装置Ａは、ローリング支点軸５ｄのローリング軸芯Ｘまわりに自走車に対してローリングする。
【００３３】
図７は、水田作業装置Ａの下部を示す平面図である。図３，６，７に示すように、機体フレームＦは、後部リンク５ｃに前端側上部がローリング支点軸５ｄで連結された機体フレーム横方向に長い駆動ケース１９と、この駆動ケース１９の両横端部から各別に機体フレーム後方向きに延出した左右一対の伝動ケース２６とを備えて構成してある。
【００３４】
駆動ケース１９は、駆動ケース１９の横方向での中央部を構成するとともに前端側上部にローリング支点軸５ｄが連結されているフィードケース１９ａと、フィードケース１９ａの下端側の両横側部から横外向きに延出され、駆動ケース１９の横側部を構成するとともに延出端部が伝動ケース２６の基部に連結されている左右一対の出力軸ケース２４，２４とを備えて構成してある。
【００３５】
播種作業部９について説明する。
図３，４，６に示すように、４つの播種作業部９は、機体横方向に長い播種フレーム４７に支持された種子繰出し機構２８と、種子繰出し機構２８を構成する繰出しケース４８の上部に取付けられた種子タンク２７と、繰出しケース４８の下部から機体下方向きに延出した播種筒２９とを備えている。
【００３６】
図３，４，５，６に示すように、４つの種子繰出し機構２８を支持する播種フレーム４７は、左右一対の伝動ケース２６，２６の延出端側上部に取り付けられたステー４６に支持されている。４つの播種作業部９のうちの機体左側の２つの播種作業部９の種子タンク２７及び機体右側の２つの播種作業部９の種子タンク２７は、タンク内が連通した一つの種子タンクに一体形成されている。各播種作業部９の播種筒２９は、水田作業装置Ａの下降作業状態において、播種筒２９の延出端側の播種開口が圃場の泥土面の上方近くに位置するように配備してある。
【００３７】
４つの播種作業部９は、自走車の後部から後方向きに延出する回転伝動軸１８（図１参照）によって駆動ケース１９に伝達されるエンジン１５からの駆動力によって駆動されるように構成してある。
【００３８】
すなわち、図４，６，７に示すように、エンジン１５から回転伝動軸１８に伝達された駆動力を、フィードケース１９ａの下端側前部から前方向きに突出する入力軸によって駆動ケース１９に入力し、駆動ケース１９に入力した駆動力を左右一対の出力軸ケース２４，２４を介して左右一対の伝動ケース２６，２６に入力する。左側の伝動ケース２６に入力した駆動力を、機体左側の２つの種子繰出し機構２８，２８の繰出し駆動軸４３にギヤ伝動機構４４を介して伝達して、機体左側の２つの種子繰出し機構２８，２８の繰出しロール３０を駆動する。右側の伝動ケース２６に入力した駆動力を、機体右側の２つの種子繰出し機構２８，２８の繰出し駆動軸４３にギヤ伝動機構４４を介して伝達して、機体右側の２つの種子繰出し機構２８，２８の繰出しロール３０を駆動する。
【００３９】
従って、水田作業装置Ａは、各種子タンク２７に貯留された種子を、種子繰出し機構２８によって種子タンク２７から繰出し、各種子繰出し機構２８が繰り出した種子を、播種筒２９から圃場の泥土面に落下させて供給する。４つの播種作業部９は、種子の一例としての、稲用の鉄コーティング種子を播種する。
【００４０】
施肥作業部１０について説明する。
図３，５，６に示すように、４つの施肥作業部１０は、繰出しフレーム７５に支持された資材繰出し機構５７と、資材繰出し機構５７を構成する繰出しケース５７ａの上部に取付けられた資材タンク５６と、繰出しケース５７ａの吐出筒部から機体後方下方向きに延出した供給筒５８と、供給筒５８の延出端部に蛇腹筒６３を介して連通された資材供給器５９とを備えている。
【００４１】
４つの施肥作業部１０の資材繰出し機構５７を支持する繰出しフレーム７５は、駆動ケース１９の両横端部に立設された支柱７３に支持されている。４つの施肥作業部１０のうちの機体左側の２つの施肥作業部１０，１０の資材タンク５６及び機体右側の２つの施肥作業部１０，１０の資材タンク５６は、タンク内が連通した一つの資材タンクに一体形成されている。４つの施肥作業部１０の資材供給器５９は、水田作業装置Ａの後部に自走車体横方向に並べて設けてある。具体的には、４つの資材供給器５９は、４つの播種作業部９の播種筒２９の横側方に一つずつ位置するように機体横方向に並べて接地フロート１２に支持させてある。
【００４２】
４つの施肥作業部１０は、駆動ケース１９に伝達されるエンジン１５からの駆動力によって駆動されるように構成してある。
【００４３】
すなわち、図３，５，６に示すように、エンジン１５から駆動ケース１９に入力された駆動力を、左の出力軸ケース２４の左側端部から連動機構７１を介して一本の左の繰出し駆動軸６７に伝達する。左側の繰出し駆動軸６７は、機体左側の２つの資材繰出し機構５７，５７が備える繰出しロール６６に連結され、機体左側の２つの資材繰出し機構５７，５７に共通の繰出し駆動軸になっている、駆動ケース１９に入力された駆動力を、右の出力軸ケース２４の右側端部から連動機構７１を介して一本の右側の繰出し駆動軸６７に伝達する。右側の繰出し駆動軸６７は、機体右側の２つの資材繰出し機構５７，５７が備える繰出しロール６６に連結され、機体右側の２つの資材繰出し機構５７，５７に共通の繰出し駆動軸になっている。左右の連動機構７１は、出力軸ケース２４の駆動力を出力するクランク体６９と、繰出し駆動軸６７に装着された揺動リンク６８及び一方向回転クラッチ６８ａとを備えている。
【００４４】
従って、水田作業装置Ａは、各資材タンク５６に貯留された粒状の肥料を、資材繰出し機構５７によって資材タンク５６から繰出し、各資材繰出し機構５７が繰り出した肥料を供給筒５８を介して資材供給器５９に供給し、資材供給器５９によって、播種作業部９による播種箇所の横側近くで圃場に供給する。
【００４５】
各資材供給器５９は、蛇腹筒６３に上端側が連通し、下端側に供給開口が設けられた資材供給器本体５９ａと、資材供給器本体５９ａの後端部から自走車体後方向きに延出したへら状の覆土体６０とを備えている。
つまり、各資材供給器５９の資材供給器本体５９ａが、播種作業部９による播種箇所の横側近くで圃場面に資材供給溝を形成し、形成した資材供給溝に供給筒５８からの肥料を供給する。覆土体６０が、肥料供給後の資材供給溝に土寄せして、肥料供給後の資材供給溝を埋める。
【００４６】
排水溝の形成について説明する。
図３，４，６に示すように、水田作業装置Ａは、水田作業装置Ａの後部のうちの自走車体横方向での中央箇所に設けた溝切り体９０を備え、４つの資材供給器５９のうち、自走車体横内側で隣り合う一対の資材供給器５９，５９が通る箇所の間で圃場面に溝切り体９０によって排水溝３５（図１４参照）を形成するように構成してある。
【００４７】
溝切り体１４について説明する。
図８，１０，１２，１３に示すように、溝切り体９０は、下部に車体前後方向視で下細り形状の溝切り刃部９１を有した溝切り本体９２と、溝切り本体９２の上部に設けた整地板支持部９３の両横側の側壁部９３ａから横外向きに延出した整地板１００とを備えて構成してある。
【００４８】
溝切り本体９２は、溝切り刃部９１及び整地板支持部９３にわたって位置し、溝切り本体９２の前方向き及び後方向きに開口した中空部９４を備えた中空構造に構成してある。溝切り体９０の前側から後側に泥水が中空部９４を通って抜け出ることにより、溝切り体９０が泥水によって受ける移動抵抗を抑制できる。
【００４９】
左右の整地板１００の基端側に、整地板１００を構成する板体の折り曲げ端部で形成した縦板形の連結板部１０１を設けてある。連結板部１０１の前端部に設けた連結ピン１０２と、連結板部１０１に連結ピン１０２より後側に配置して設けた上下向き長孔の連結孔１０３と、連結孔１０３を挿通させて整地板支持部９３における側壁部９３ａに装着する締付けボルト１０４とによって連結板部１０１を整地板支持部９３の側壁部９３ａに連結することにより、左右の整地板１００を溝切り本体９２に取付けるように構成してある。
【００５０】
溝切り体９０の前端部に、溝切り刃部９１の前端側上部に板金部材を取付けて形成した左右一対の縦板形の連結板部９５，９５を設けてある。図７，９，１０に示すように、溝切り体９０は、左右一対の伝動ケース２６，２６の延出端側にわたって連結された自走車体横向きの支持杆５５に左右一対の連結板部９５，９５で支持されるように構成してある。
【００５１】
すなわち、支持杆５５の車体横方向（長手方向）での中央部に、板金部材を取り付けて形成した支持部８０を設けてある。支持部８０が備える左右一対の支持板部８０ａ，８０ａと、左右一対の支持板部８０ａ，８０ａの間に入り込ませた溝切り体９０の左右一対の連結板部９５，９５とにわたって枢支ピン８１を装着することにより、溝切り体９０を支持杆５５に支持させてある。従って、溝切り体９０は、枢支ピン８１の軸芯で成る自走車体横向きの揺動軸芯Ｐまわりに上下揺動自在な状態になっている。
【００５２】
溝切り体９０の一方の連結板部９５から前方向きに延出した支持アーム９６と、繰出しフレーム７５から車体後方向きに延出された支持フレーム８２とにわたり、支持アーム９６を揺動軸芯Ｐまわりに上昇付勢するスプリング８５を連結してある。支持部８０に左右一対の支持板部８０ａ，８０ａにわたって装着した軸体で成るストッパ部８３を設けてある。ストッパ部８３は、溝切り体９０の左右一対の連結板部９５，９５の端部９５ａを受け止め支持して、支持アーム９６の上昇限界を設定することによって溝切り体９０の下降限界を設定するように構成してある。支持フレーム８２は、後端部で薬剤散布装置（図示せず）を支持するものである。
【００５３】
つまり、溝切り体９０は、揺動軸芯Ｐまわりに上下揺動自在に支持される状態になっているが、スプリング８５が支持アーム９６を上昇付勢して連結板部９５をストッパ部８３に当て付けることにより、溝切り体９０の水田作業装置Ａに対する取付け高さ及び取付け姿勢が所定の取付け高さ及び取付け姿勢に設定され、かつ溝切り体９０と資材供給器５９との位置関係が所定の位置関係に設定される。
【００５４】
すなわち、水田作業装置Ａを下降作業状態に下降させたときの水田作業装置Ａに対する溝切り体９０の取付け姿勢及び取付け高さとして、溝切り刃部９１が後端側ほど低レベルに位置する後下がり傾斜の姿勢で圃場の泥土層に入り込み、左右の整地板１００が圃場面に圧接される状態を現出する取付け高さ及び取付け姿勢が設定される。この設定取付け高さ及び設定取付け姿勢がスプリング８５による連結板部９５のストッパ部８３に対する当て付けによって維持される。従って、図１１に示すように、溝切り体９０は、溝切り本体９２の溝切り刃部９１によって圃場面に排水溝３５（図１４参照）を形成する。溝切り体９０は、形成した排水溝３５の両横側の圃場面を整地板１００によって整地する。
尚、溝切り体９０が土塊や石に乗り上がったとき、溝切り体９０が土塊や石からの反力によってスプリング８５を弾性変形させながら上昇揺動し、溝切り体９０の変形や破損を回避できる。
【００５５】
図９，１２に示すように、水田作業装置Ａを下降作業状態に下降させたときの溝切り体９０と資材供給器５９との位置関係として、自走機体側面視において、溝切り本体９２の前端としての溝切り刃部９１の前端９１ｆが、資材供給器５９の後端としての覆土体６０の後端６０ｒより自走車体前方側に位置し、整地板１００の前端１００ｆが、覆土体６０の後端６０ｒより自走車体後方側に位置する位置関係が設定される。この位置関係がスプリング８５による連結板部９５のストッパ部８３に対する当て付けによって維持されることにより、溝切り体９０は、覆土体６０と整地板１００との間から泥土を抜け落ちやすくしながら排水溝３５の形成及び圃場面の整地を行う。
【００５６】
図９，１１に示すように、支持杆５５の支持部８０の左右一対の支持板部８０ａに、ストッパ部８３を構成する軸体の脱着が可能な二つの軸孔８７，８７を設けて、溝切り体９０の水田作業装置Ａに対する取付け高さを２段階に調節自在に構成してある。
【００５７】
すなわち、二つの軸孔８７，８７は、連結板部９５の揺動方向に間隔を隔てて並んでいる。図１１（ａ）は、水田作業装置Ａに対する溝切り体９０の取付け高さを低くした状態の溝切り体９０を示す側面図である。図１１（ｂ）は、水田作業装置Ａに対する溝切り体９０の取付け高さを高くした状態の溝切り体９０を示す側面図である。
【００５８】
これらの図に示すように、ストッパ部８３を構成する軸体を二つの軸孔８７に付け替えることにより、ストッパ部８３の位置が連結板部９５の揺動方向に変化し、ストッパ部８３が連結板部９５を受け止め支持することによって設定される溝切り体９０の支持部８０に対する取付け高さが２段階に変化する。
【００５９】
図８，１２に示すように、左右の整地板１００の横外側部分における後端縁１００Ｌを、溝切り本体９２から横外側に離れるほど自走車体前方側に位置する傾斜縁に形成してある。
従って、溝切り体９０の後側に泥土がまわり込んでも、まわり込んだ泥土が後端縁１００Ｌの傾斜によって横外側に抜け出し易い。
【００６０】
図８，１３に示すように、整地板１００のうちの溝切り本体９２に連なる基端部１００ａを、自走車体前後方向視での形状が溝切り本体９２から横外側に離れるほど高い配置高さに位置する状態で溝切り本体９２の溝切り刃部９１における側壁部９１ａに対して傾斜する形状となるように構成し、崩れ難い排水溝３５が形成されるように構成してある。
【００６１】
すなわち、整地板１００の基端部１００ｂが、溝切り本体９２の溝切り刃部９１によって形成される排水溝３５の内壁３６の上端部３６ａに対して整地作用する。従って、図１４に示すように、内壁３６の上端部３６ａは、基端部１００ｂの傾斜形状によって面取り傾斜部に形成される。
【００６２】
図８，１０に示すように、溝切り本体９２の整地板支持部９３における側壁部９３ａに、整地板１００の連結ピン１０２を脱着する上下２段のピン孔９７と、締付けボルト１０４を脱着する上下２段のネジ付きのボルト孔９８とを設け、左右の整地板１００の溝切り本体９２に対する取付け高さを調節自在に構成してある。
【００６３】
図１０（ａ）は、溝切り本体９２に対する整地板全体の取付け高さを高くした状態の溝切り体を９０示す側面図である。この図に示すように、整地板１００の連結ピン１０２を整地板支持部９３の上段側のピン孔９７に装着し、整地板１００の連結孔１０３と整地板支持部９３の上段側のボルト孔９８とにわたって締め付けボルト１０４を装着することにより、溝切り本体９２に対する整地板１００全体の取り付け高さが高くなる。
【００６４】
図１０（ｂ）は、溝切り本体９２に対する整地板全体の取付け高さを低くした状態の溝切り体９０を示す側面図である。この図に示すように、整地板１００の連結ピン１０２を整地板支持部９３の下段側のピン孔９７に装着し、整地板１００の連結孔１０３と整地板支持部９３の下段側のボルト孔９８とにわたって締め付けボルト１０４を装着することにより、溝切り本体９２に対する整地板１００全体の取り付け高さが低くなる。
【００６５】
溝切り本体９２に対する整地板１００全体の取り付け高さを高くした場合と低くした場合とのいれずにおいても、整地板１００の後端側を、連結ピン１０２を揺動支点にして、長孔の連結孔１０３に沿わせて上下に揺動調節し、調節した揺動位置で締め付けボルト１０４を側壁部９３ａに締め付けることにより、溝切り本体９２に対する整地板後端側の取り付け高さが連結孔２０３の長孔範囲で上下に変化する。
【００６６】
溝切り体９０の水田作業装置Ａに対する取付け高さを調節可能な如何なる取付け高さに調節しても、整地板１００の溝切り本体９２に対する取付け高さを調節可能な如何なる取付け高さに調節しても、資材供給器５９と溝切り体９０との位置関係は、スプリング８５による連結板部９５のストッパ部８３に対する当て付けにより、溝切り本体９２の前端としての溝切り刃部９１の前端９１ｆが資材供給器５９の後端としての覆土体６０の後端６０ｒより自走車体前方側に位置し、整地板１００の前端１００ｆが覆土体６０の後端６０ｒより自走車体前方側に位置する位置関係に設定される。
【００６７】
〔別実施例〕
（１）上記した実施例では、資材供給器５９によって肥料を供給するよう構成した例を示したが、資材供給器５９によって薬剤を供給するよう構成して実施してもよい。
【００６８】
（２）上記した実施例では、資材供給器５９に、資材供給器本体５９ａに支持された覆土体６０を備えた例を示したが、資材供給器本体５９ａに支持されず、接地フロート１２や機体フレームＦに支持された覆土体を備えて実施してもよい。
【００６９】
（３）上記した実施例では、覆土体６０を備えた資材供給器５９を採用した例を示したが、覆土体６０を備えない資材供給器を採用して実施してもよい。
【００７０】
（４）上記した実施例では、幅広の一つの接地フロート１２を備えた例を示したが、幅狭の接地フロートの複数を幅広の一つの接地フロート１２に替えて備えて実施してもよい。
【００７１】
（５）上記した実施例では、４つの播種作業部９を設けた例を示したが、２つあるは５つ以上の播種作業部９を設けて実施してもよい。
【産業上の利用可能性】
【００７２】
本発明は、播種作業部９を備えた水田作業機の他、苗植え用の作業部を備えた水田作業機にも利用可能である。
【符号の説明】
【００７３】
３５        排水溝
３６        内壁
３６ａ      上端部
５９        資材供給器
６０        覆土体
６０ｒ      後端
９０        溝切り体
９２        溝切り本体
９１ａ      側壁部
９１ｆ      溝切り本体の前端
１００      整地板
１００ａ    基端部
１００ｆ    整地板の前端
１００Ｌ    後端縁
Ａ          水田作業機
【図１】
2014068584.tif 000003
【図２】
2014068584.tif 000004
【図３】
2014068584.tif 000005
【図４】
2014068584.tif 000006
【図５】
2014068584.tif 000007
【図６】
2014068584.tif 000008
【図７】
2014068584.tif 000009
【図８】
2014068584.tif 000010
【図９】
2014068584.tif 000011
【図１０】
2014068584.tif 000012
【図１１】
2014068584.tif 000013
【図１２】
2014068584.tif 000014
【図１３】
2014068584.tif 000015
【図１４】
2014068584.tif 000016